(57)【要約】【課題】入浴時に入浴者の入浴感を阻害することのない風呂蓋を提供する。【解決手段】浴槽の上面開口部を閉鎖する平板状の割り風呂蓋であって、前記風呂蓋は、一辺に風呂蓋を浴槽リム上に立てかけた際に使用者の頭部を避けるように凹型に形成された第一切り欠き部を有する平板状の第一風呂蓋体と、前記第一風呂蓋体の前記第一切り欠き部が形成された辺と付け合せた際に、前記切り欠き部と隙間なく嵌合する凸型の突部を有する平板状の第二風呂蓋体と、を備え、前記第二風呂蓋体の前記突部と対向する辺には前記第一風呂蓋体に形成された第一切り欠き部と略同形な第二切り欠き部が形成されていることを特徴とする風呂蓋。【選択図】  図５
2008246170.tif 000002
【特許請求の範囲】
【請求項１】
浴槽の上面開口部を閉鎖する平板状の割り風呂蓋であって、前記風呂蓋は、浴槽リム上に立てかけた際に使用者の頭部を避けるように凹型に形成された第一切り欠き部を有する平板状の第一風呂蓋体と、前記第一風呂蓋体の前記第一切り欠き部が形成された辺と付け合せた際に、前記切り欠き部と隙間なく嵌合する凸型の突部を有する平板状の第二風呂蓋体と、を備え、前記第二風呂蓋体の前記突部と対向する辺には前記第一風呂蓋体に形成された第一切り欠き部と略同形且つ同一寸法の第二切り欠き部が形成されていることを特徴とする風呂蓋。
【請求項２】
前記第一風呂蓋体および前記第二風呂蓋体を立てかけた際に、前記第一切り欠き部及び前記第二切り欠き部から、水滴が垂れることを抑制する滴垂れ防止手段を備えている請求項１記載の風呂蓋。
【請求項３】
前記滴垂れ防止手段は、前記第一切り欠き部及び前記第二切り欠き部を半円状に切り欠いたことを特徴とする請求項２記載の風呂蓋。
【請求項４】
前記滴垂れ防止手段は、前記第一切り欠き部及び前記第二切り欠き部周辺に凹型に沿うように突出したガイド部が形成されていることを特徴とする請求項２記載の風呂蓋。
【発明の詳細な説明】
【技術分野】
【０００１】
本発明は、浴槽の上面開口部を閉鎖する風呂蓋に関する。
【背景技術】
【０００２】
従来、風呂蓋の収納は、例えば特許文献１、２に開示されているように、複数の蓋を重ね合わせ、浴槽の上面、もしくは上面より若干離れた位置に、壁に立て掛けるように収納していた。
【特許文献１】特開２００４−２３７０６５
【特許文献２】特開２００５−１１８０６７
【発明の開示】
【発明が解決しようとする課題】
【０００３】
しかしながら、上述した従来の風呂蓋の収納方法では、入浴中に入浴者の頭が蓋に当たるなどの入浴感の阻害があり、また、それを回避するために浴槽上面より上方に蓋を設置した場合は、蓋の持ち上げに苦労するという問題がある。
【０００４】
そこで、本発明は、上述した従来技術の問題を解決するためになされたものであり、浴槽の上面に収納しても、入浴時に入浴者の入浴感を阻害することのない風呂蓋を提供することを目的としている。
【課題を解決するための手段】
【０００５】
上記の目的を達成するために、本発明は、浴槽の上面開口部を閉鎖する平板状の割り風呂蓋であって、前記風呂蓋は、浴槽リム上に立てかけた際に、使用者の頭部を避けるように凹型に形成された第一切り欠き部を有する平板状の第一風呂蓋体と、前記第一風呂蓋体の前記第一切り欠き部が形成された辺と付け合せた際に、前記切り欠き部と隙間なく嵌合する凸型の突部を有する平板状の第二風呂蓋体と、を備え、前記第二風呂蓋体の前記突部と対向する辺には前記第一風呂蓋体に形成された第一切り欠き部と略同形且つ同一寸法の第二切り欠き部が形成されていることを特徴としている。
このように構成された本発明の風呂蓋においては、風呂蓋を浴槽の上面に収納しても、入浴時に入浴者の入浴感を阻害することがない。
【発明の効果】
【０００６】
本発明の風呂蓋によれば、風呂蓋に入浴感を阻害されることなく、入浴することができる。
【発明を実施するための最良の形態】
【０００７】
以下、添付図面を参照し、本発明の実施形態について説明する。
図１は、風呂蓋の斜視構成図であり、図１に示すＡ−Ａ線に対応した断面図が、図２である。図３は、風呂蓋で浴槽開口部を閉鎖した状態を示し、図４は、風呂蓋を浴槽リム上に立てかけて収納した状態を示している。図５は、入浴している状態を示している。図６は、本実施形態の別の具体例を示した図である。
【０００８】
図１に示すように、風呂蓋は平板状の２枚の蓋体１（第一の風呂蓋体）、２（第二の風呂蓋体）で構成されている。
この蓋体１の付け合せ辺３の中央部は、半円状に凹型に形成された第一切り欠き部となっており、蓋体２の付け合せ辺４の中央部は、半円状に凸型に形成された突部となっている。そして、凹部と凸部が嵌合して互いの付け合せ辺が接するように形成されている。ここで、突部と第一切り欠き部を付け合せた際、蓋体１と蓋体２とは隙間がほとんど生じないような寸法で形成されている。この半円状の凸部、及び凹部の直径は、例えば３００（ｍｍ）である。
さらに、付け合せ辺４が凸型になっている蓋体２の他辺５は、半円状の凹型に形成された第二切り欠き部となっている。この辺５の凹型形状は、蓋体１の付け合せ辺３の凹形状と同形状、同寸法であり、且つ蓋体１の付け合せ辺３と蓋体２の付け合せ辺４に対向する辺の同位置に形成されており、その直径は、例えば３００（ｍｍ）である。つまり、蓋体１の付け合せ辺３と蓋体２の付け合せ辺４に対向する辺５の両方を浴槽リム上に載置させた際に、第一切り欠き部と第二切り欠き部は略同一の切り欠きとなるため、使用者は浴槽に浸かった状態で頭部を風呂蓋側に位置させたとしても、第一切り欠き部および第二切り欠き部が形成されているため使用者は頭部の頂点を浴室の壁面部のギリギリ近くまで位置させることができる。
ここで、蓋体１の第一切り欠き部が形成されている付け合せ辺３と対向する辺は、凹凸は形成されていない。
【０００９】
図２の断面図で示すように、風呂蓋は、平面板状に形成された板部の外周にエッジプロテクター８が設けられ、エッジプロテクター８で外周が覆われて保護されている。
平面形状に形成された板部は、例えば、芯材６が発泡させたポリエチレン樹脂のような合成樹脂発泡体からなり、表面材７がアルミ製の薄板からなる。またエッジプロテクター８（滴垂れ防止手段）は、例えば、エラストマーからなる。つまり、ここでは蓋体１や蓋体２をリム上に立てかけた際に、第一切り欠き部３や第二切り欠き部５から、蓋体の天面または底面に付着している水滴が垂れないようにするため、蓋体の天面及び底面より突出したエッジプロテクターを取り付けている。また、プロテクターは凹型に沿うように取り付けられている。
【００１０】
図３に示すように、浴槽１０の開口部を閉鎖する際は、付け合せ辺３の凹部と付け合せ辺４の凸部を嵌合させる。
【００１１】
前述したように、付け合わせ辺の凹部と凸部が嵌合するため、各々の蓋体の位置決めが容易になり、蓋体同士のズレ防止になる。また、蓋体同士のズレが無くなることにより、浴槽開口部と風呂蓋との隙間の発生を防止でき、その結果、浴槽内の湯温の低下、および浴室内への湯気の立ち上りを防ぐことが可能となる。
【００１２】
図４に示すように、収納の時に風呂蓋を浴槽１０のリム上に立てかけた際は、辺３と辺５を下端にし、凹部を揃えて設置する。
【００１３】
図５で示すように、収納時の風呂蓋下端が凹型に切り欠かれているため、入浴者の頭部が風呂蓋に干渉することなく入浴できる。
【００１４】
本実施形態では、風呂蓋下端の凹型の切り欠き９の内側に入浴者の頭が入るため、凹部から水滴が垂れた際、入浴者に不快感を与える恐れがある。
そこで、凹型３、５の形状を半円状にし、エッジプロテクター８を設けることにより、蓋体の天面または底面に付着している水滴がエッジプロテクターを伝って垂れるようにし、凹部内の入浴者の頭部に水滴が垂れないようになっている。
【００１５】
前述した具体例では、凹部を半円状としたが、図６に示すように三角形状にしてもよい。つまり、切り欠き部の縁面に到達した水滴が、凹部がある辺の浴槽リムと接触している部分に流れるようにすることが好ましい。したがって、凹部の頂点部から浴槽リムと接触している部分に連続的に下り勾配となるような切り欠きであることが好ましい。
【００１６】
また、図４、図５に示すように蓋体１と蓋体２とを浴槽リム上で立てかけた際に、蓋体１の凹部が形成された付け合せ辺３とは対向する辺と、蓋体２の凸部が形成された付け合せ辺４が上方側に配置されることになるが、形状の異なる２つの蓋体を浴室壁面に取り付けられた風呂蓋フック（図示しない）に収納する必要がある。本発明においては、蓋体１の付け合せ辺における第一切り欠き部３以外の部分と、付け合せ辺と対向する辺の間の長さＡと、蓋体２の付け合せ辺における突部４以外の部分と、付け合せ辺と対向する辺における第二切り欠き部５以外の部分との間の長さＢとが等しくなるようにすれば、図５で示すように蓋体２の突部の左右に、蓋体１と蓋体２の辺の一部が同一高さとなるため、その位置に風呂蓋フックを配置するようにすれば、形状の異なる風呂蓋であっても、楽に収納することができる。
【００１７】
また、図３に示した風呂蓋においては、第二切り欠き部の径（切り欠きの頂点から底辺までの長さ）より浴槽リムの方が長く形成されているため、風呂蓋で浴槽の内槽を隙間無く塞ぐことが可能であったが、浴槽リムが小さい場合においては隙間が生じることになる。その際には、その隙間を塞ぐような平面視で半円形上の第三風呂蓋体をさらに設ければ良い。この時、第三風呂蓋体（図示しない）自体は、蓋体１や蓋体２に比べて非常に小さいものとなるため、邪魔にはならない。例えば、収納時には、図４に示す蓋体２の突部の裏に、蓋体２と浴室壁面で挟み込むように収納してもよい。また、第三風呂蓋体は浴槽内槽の短辺間距離よりも小さいため浴槽リムの一辺しか載置されていない状態になるが、蓋体２と付け合せる際に、蓋体２の縁の上面に載るような形にしておけば、第三風呂蓋体を安定して浴槽リム上に載置することができる。つまり、蓋体２の第三風呂蓋体と接触する端部が、蓋体２天面より一段低い位置に上面が位置するように形成され、第三風呂蓋体の蓋体２と接触する端部の底面が、一段高く位置するように形成されている。
【図面の簡単な説明】
【００１８】
【図１】本発明の実施形態による風呂蓋の斜視図である。
【図２】図１のＡ−Ａ断面図である。
【図３】本実施形態において、風呂蓋で浴槽開口部を閉鎖した状態を示す斜視図である。
【図４】本実施形態において、風呂蓋を収納した状態を示す斜視図である。
【図５】本実施形態における、入浴した状態を示す模式図である。
【図６】本実施形態における、風呂蓋の凹形状の他の具体例を表す斜視図である。
【符号の説明】
【００１９】
１，２…蓋体
３，４…付け合せ辺
５…他辺
６…芯材
７…表面材
８…エッジプロテクター
９…切り欠き
１０…浴槽
【図１】
2008246170.tif 000003
【図２】
2008246170.tif 000004
【図３】
2008246170.tif 000005
【図４】
2008246170.tif 000006
【図５】
2008246170.tif 000007
【図６】
2008246170.tif 000008